(57)【要約】      （修正有）【課題】ハンガー式洗濯物干し具において、吊り下げピンチを一切使用せずに、簡単な操作で迅速に洗濯物を掛け干し、取り込むことが出来、大きさは流通されているハンガー式洗濯物干し具と変わらず、本体を上方に二つ折りにして、コンパクトに収納できる洗濯物干し具を提供する。【解決手段】方形枠組本体の縦枠棒１０下面に横枠棒１１と平行に装着した、蒲筒形下面開放の主横構棒２０の内側に、一回り細い、両端にフック３１を形成した、逆Ｕ字形直線副横構棒３０を、主横構棒２０の内側に下方より嵌合させ、副横構棒３０の落下を防止するため、主横構棒２０の背面上端部から、蓋部材２１で主横構棒２０の端部下面を塞ぎ、蓋部材２１の端部に狭窄部２２を設け、主横構棒２０の側面の楔形ストッパー２７に狭窄部２２を系止し、蓋部材２１の脱着を自在にした、主横構棒と副横構棒の構棒セット複数組を、ハンガー式方形枠組本体の両縦枠棒１０の下面に装着した構成とする。【選択図】図３
2004358108.tif 000002
【特許請求の範囲】
【請求項１】
本体方形の縦枠棒に対して、横枠棒の一辺の長さより長く構成された主横構棒と，その主横構棒の内側に嵌合するための、副横構棒とを組み合わせた主、副横構棒セットを両方の縦枠棒下面に、横枠棒と平行に複数組の主、副横構棒セットを装着する洗濯物干し具、又は、上端にフックを成形した吊り下げパイプの下端部を中心に、円形状に主、副横構棒セット複数組を装着することを特徴とする、洗濯物干し具。
【請求項２】
本体方形の縦枠棒の形状は蒲鉾筒形下面開放とし、縦枠棒の両側面、下側に四角形の小孔を複数孔均等に穿設してあり、その四角形の小孔に対して、主横構棒の背面上に、本体両縦枠棒の幅と同じ位置に２箇所、銛形の突出部を設け、その銛形突出部を両縦枠棒の下側四角形の小孔に、下方より嵌合させて、主横構棒と副横構棒の構棒セットを、本体方形の両縦枠棒下面に着装させることを特徴とする、請求項１の洗濯物干し具。
【請求項３】
主横構棒は縦枠棒同様、蒲鉾筒形下面開放の形状にして、一方端部の内側と、他方端部の外側背面上に支持軸を設け、主横構棒の内側に嵌合させるための、副横構棒は主横構棒よりも太さを一回り細く、両端部に下向きフックを形成した、断面逆Ｕ字形直線棒材の形状とした、副横構棒の端部フックを、主横構棒の一方端部内側の支持軸に掛合し、下方より副横構棒を主横構棒の内側に嵌合し、かつ、主横構棒から副横構棒の脱落を防止するために、主横構棒の他方端部外側背面上の支持軸を支持点に蓋部材を取り付けて主横構棒端部の下面を塞ぎ、また、蓋部材の脱着操作をするため蓋部材末端に狭窄部を設ける、主横構棒の蓋部材を装着してある端部、両側面に楔形ストッパーを形成し、そのストッパーに蓋部材の狭窄部を系止して蓋部材を主横構棒の端部下面で堅持することと、さらに、主横構棒内側に嵌合してある副横構棒の、着脱を自在にするため、蓋部材を折りたたみ式構造にして、また、その蓋部材は主横構棒端部の下面を塞ぐと、同時に、蓋部材を開放した際に副横構棒の端部フックが、蓋部材屈折部の伸びきった状態において狭窄部末端の横支持棒に掛合され、主横構棒から副横構棒の脱落を防止することと、同時に、洗濯物を副横構棒に掛け干したり、取り込むための作業スペースを主横構棒と副横構棒の間に保持することを特徴とする、請求項１、又は２の、洗濯物干し具。
【請求項４】
副横構棒に洗濯物を掛け干した後、主横構棒に副横構棒を狭持した際に、洗濯物の狭持部の乾燥をより早めるため、主横構棒の背面上に円弧細長の孔を適当な間隔に穿設してあるのを特徴とする、請求項１、請求項２、又は３記載の洗濯物干し具。
【請求項５】
洗濯物干し具の吊り下げフックはパイプの上端にパイプと一体に成形してあり、フックの側面に対してパイプ上端部より垂直に切欠部を設け、切欠部片側に沿って鋸目を形成し、フックを物干し竿、又は物干しロープなどに掛止するため、棒状ストッパーをパイプ内側に挿入する、棒状ストッパーにはパイプ切欠部の鋸目に系止するため系止付き弾性凸部をストッパーの端部に設け、ストッパーの系止付き弾性凸部を指で押圧しながら上下操作をし、フックを物干し竿や、ロープなどに掛止し、または、開放することを特徴とする、請求項１、又は請求項２，３に記載した洗濯物干し具。
【発明の詳細な説明】
【０００１】
【発明に属する技術分野】本発明は洗濯物干し具において、吊り下げピンチ不要のハンガー式洗濯物干し具に関するものである。
【０００２】
【従来の技術】従来の洗濯物干し具は、物干し竿や、物干しロープなど、その他複数のワイヤーハンガーで成形されたものや、色々な構造をした洗濯物干し具が市販されており、その数ある種類のうちでも、主としてハンガー式洗濯物干し具に吊り下げピンチを使用しているものが最も多く、その形状は、大小さまざまな円形や、長方形の枠組で構成されていて、その周囲には多数の吊り下げピンチを備えてあるものが主流である。
【０００３】
その多くは一つの洗濯物干し具に対して、吊り下げピンチを４０から５０個ちかくも使用されており、洗濯物を干したり、取り外したりするためには、吊り下げピンチを一個ずつ指で咬持部を開閉する、煩わしい動作を繰り返し、同時に、時間を要する作業である。
【０００４】
【発明が解決しようとする課題】市場では色々な種類の洗濯物干し具が流通しておりますが、従来のハンガー式洗濯物干し具の吊り下げピンチ式構造のものが最も多く市販されており、したがって、どんなに手間と時間が掛かるとは言え、それに変わるべき洗濯物干し具が見当たらず、不便であると思いながらも使用されているのが実状である、
【０００５】
本発明は前記課題を解決する為に、ハンガー式方形枠組本体に対して、吊り下げピンチを一切必要としない構造にして、簡単な操作にて手間と、時間を短縮し、迅速、確実に洗濯物を干し、かつ取り込むことを目的とした洗濯物干し具であることと、大きさにおいても市販されているハンガー式洗濯物干し具と大差なく、さらに、全て合成樹脂加工にて成形されるので、吊り下げピンチに使用されている金属性の腐食による不具合が生じることも少なく、リサイクルにも適しているものを提供するものである。
【０００６】
【課題を解決するための手段】上記目的を達成するために、本発明はハンガー式方形枠組本体縦枠棒に対して、本体横枠棒の両端より長く突き出した主横構棒の内側に、洗濯物を干し掛止しするための副横構棒を下方より嵌合した、主横構棒と副横構棒のセットを、本体両縦枠棒の下面に複数組、本体横枠棒と平行に着装したハンガー式洗濯物干し具、又は、吊り下げパイプの上端に吊り下げ用フックをパイプと一体化に成形し、パイプの一方下端部周囲に主、副横構棒セット数組を円形状に着装した、吊り下げピンチ不要の洗濯物干し具を構成したものである。
【０００７】
【発明の実施の形態】
【０００８】
以下、図面に示す実施の形態により、本発明を詳細に説明する。
【０００９】
図１ないし図７の本発明の実施形態において、方形本体枠組の構造は、縦枠棒１０の蒲鉾筒形下面開放直線棒と、横枠棒１１の角形パイプか、または、蒲鉾筒形下面開放直線棒から構成され、縦枠棒１０の両側面下側に四角形の小孔１２を、縦枠棒の長さに沿って均等に穿設して構成されている。
【００１０】
主横構棒２０の形状は、前記縦枠棒１０と同様に、蒲鉾筒形下面開放の直線棒として、主横構棒２０を縦枠棒１０の下面に着装するため、主横構棒２０の背面上に、方形本体両縦枠棒１０の横幅と同じ位置に２箇所、銛形突出部２５を設け、縦枠棒１０の両側面下側に沿った四角形の小孔１２に、下方より銛形突出部２５を嵌合させて、本体両縦枠棒１０の下面に主横構棒２０の背面を固定するように構成されている（図１、図３参照）。
【００１１】
主横構棒２０の片側端部の内側に支持軸２３と、他方端部の外側背面上に支持軸２４を設け、副横構棒３０の両端に、フック３１を形成した断面逆Ｕ字形直線棒を、主横構棒２０の他方端部の内側支持軸２３に、副横構棒３０の端部フック３１を下方より掛合させ、濯物物を副横構棒３０に掛け終えた後、副横構棒３０を下方より主横構棒２０の内側に嵌合し，蓋部材２１にて副横構棒３０の脱落を防止するように構成されている（図２、図６参照）。
【００１２】
主横構棒２０の他方端部背面上の支持軸２４を支持点に、前記主横構棒２０内側に嵌合してある副横構棒３０の脱落防止のために、主横構棒２０の端部下面を塞ぐ蓋部材２１を着装する、蓋部材２１は支持軸２４を支持点に主横構棒２０の端部両側面から、平板腕部材を主横構棒２０の端部より突き出し、蓋部材２１の上下動作を自在にするように構成し、さらに腕部材を折り返して、副横構棒３０の着脱、開放を自在にするため蓋部材２１の端部に、狭窄部２２を成形した腕部材を折りたたみ式に連結し、主横構棒２０の端部を下方より塞ぎ、さらに、狭窄部２２を主横構棒２０の端部に確実に堅持するために、主横構棒２０の両側面に楔形突部２７のストッパーを設け、狭窄部２２を楔形突部２７に系止し蓋部材２１の脱落防止と開閉を自在にする、また狭窄部２２の末端部を指で挟圧し、蓋部材２１を楔形ストッパー２７から開放した際に副横構棒３０の端部フック３１が、折りたたみ式蓋部材２１の伸びきった状態で、狭窄部２２の末端支持棒２８に掛合され、副横構棒３０の落下を防止し、かつ、主横構棒２０と副横構棒３０との間に洗濯物を掛け干し、取り込む作業スペースを保持するように構成し、したがって、吊り下げピンチを一切必要としない構造になっている（図２、図４参照）。
【００１３】
主横構棒２０の背面上には、副横構棒３０に掛け干された洗濯物の狭持されている部分の乾燥を速めるための、円弧細長の孔２６を、背面上に沿って主横構棒２０の強度を保ちながら、適当な間隔に穿設してある。
【００１４】
本ハンガー式洗濯物干し具の吊り下げ用フック４０は、パイプ４１の上端に４０と一体化に成形し、長さを握りこぶし大より長めにし、フック４０の側面に対しパイプ４１の上端より垂直に切欠部４２を設け、その切欠部４２の片側上端より下方に鋸目４５を形成してあり、フック４０を物干し竿、又は、物干しロープなどに掛止した際に、風などによる移動、脱落を防ぐために、切欠部４２に添わせてパイプ４０の上端よりストッパー４３を挿入し、下方よりストッパー４３を押し上げて、掛止したフックを物干し竿、又は、ロープ等に堅持する。
【００１５】
ストッパー４３の形状は、断面楕円形の太さはパイプ４０の内側に挿入する太さに合わせた棒材として、上端より長さ３分の１程度のところから、下方を切り開き端部に弾力性をもたせ、その片側に弾性凸部４４を形成し、ストパー４３と弾性凸部４４との付け根の位置に系止部４６を設け、パイプ４１の切欠部４２の鋸目４５に系止部４６が嵌合して、ストッパー４３を固定する、また、弾性凸部４４を親指で押圧した際に、系止部４６がパイプ４１の内部に押し込まれると同時に、系止部４６が鋸目４５から解除され、さらに、スットパー４３の弾性凸部４４を押圧しながら上下動作をし、上端フック４０を物干し竿やロープ等に、挟持、開放の操作をするように構成し、さらに、洗濯物干し作業をし易くするために、吊り下げパイプ４１の下端部に抜け止４８の部材を設け、ハンガー用リング４７を、パイプ４１の上端より挿入して、洗濯物干し具の旋回を自在にするように構成してある
【図８から図１２参照】。
【００１６】
【実施例】図１は本発明の吊り下げピンチ不要の、洗濯物干し具の片側本体の全体図である、他の一方の本体枠組縦枠棒１０ａと、横枠棒１１ａの構造においても、本体枠組縦枠棒１０と、横枠棒１１と全く同形の構造であり、連結部１３のヒンジを介して連結し、二組の本体枠組を上部に折り畳み可能にしてコンパクトに収納出来るように構成されている、本洗濯物干し具に於いて、片側本体の大きさは主横構棒２０の長さを４０〜４５ｃｍとし、横幅を３５〜４０ｃｍとして現在流通されているハンガー式洗濯物干し具とは大差のない大きさの構造になっている。
【００１７】
図２、図６において、主横構棒２０の端部内側の支持軸２３に副横構棒３０のフック３１を掛合し、主横構棒２０の他端部の蓋部材２１を開放し、蓋部材２１の折りたたみ腕部が伸びた状態で、狭窄部２２の末端支持棒２８に、副横構棒３０の他方のフック３１が掛合された状態において、主横構棒２０と副横構棒３０との間に、少なくとも狭窄部２２の末端の位置において上下６ｃｍのスペースが保持され、横幅では４０ｃｍの洗濯物を掛け干す作業スペースが確保される。なお、副横構棒３０を主横構棒２０からの着脱、自在に使用することが出来る。
【００１８】
図７においては、主横構棒２０と副横構棒３０の組み合わせた横構棒セットを単体として、主横構棒２０の背面中央に、直径約５〜６ｍｍの小孔を穿設した突出部２９を設け、市販されているフック等を、その突出部２９の小孔に通して洗濯物干し竿などに掛止し、前記同様洗濯物干し具として個々に使用する、または、室内においてズボンハンガーとしても利用出来るように構成されている。
【００１９】
図１の方形枠組ハンガー式洗濯物干し具に対して、パイプの先端部に吊り下げ用フック４０を成形した図８において、ハンガー用リング４７をはぶいた構造にして、少なくとも吊り下げパイプの長さを３０ｃｍ前後にして、下端部に横構棒セットを図１４のように円形状に装着して洗濯物干し具を構成することも出来る。
【００２０】
さらに図示は省略してあるが、図１の方形枠組全体の構造において、本体枠組の横枠棒１１、または、１１ａを省き、より構造を簡素化し、その分横構棒セットを増やし、さらに利便性を高めることも出来る。また、本ハンガー式洗濯物干し具においては、吊り紐を含め全て合成樹脂材で成形され、金属部品は一切使用されず、ピンチの劣化による洗濯物の脱落の恐れも少なく、また、リサイクルにも適し、環境にもやさしく構成されている。
【００２１】
【発明の効果】請求項１記載の発明に於いて、大きな面積の洗濯物は別にして、小物類は勿論のこと、主横構棒２０から副横構棒３０を外して使用することが出来るので、両サイド二組の横構棒セットを使用してアンダーシャツなどは首周りから両袖を副横構棒３０に通して掛け干し、また、ズボン等は両方のすその方を、アンダーシャツと同様に二組の横構棒セットを使用することにより洗濯バサミや、吊り下げピンチ等を必要とせず、簡単な操作と、かつ、迅速に掛け干し、取り込むことが出来る、また、下着類等も副横構棒３０に通して干すことが出来るので吊り下げピンチから引き外されることもなく、したがって、簡単に盗まれることも少ないと思われる。
【００２２】
図８の吊り下げフック４０に於いて、多くはグリップ式フックにスプリングが使用されているが、グリップ式フックはスプリングの劣化により、緩む恐れが生じる、それに対して、図８，９のスライド式ストッパー４３においては、掛止する場所、条件などに制約されずに適合し、また、金属部品を使用していないため、劣化により緩む恐れも少ないと思われる。
【図面の簡単な説明】
【図１】実施の形態正面斜視図
【図２】主、副横構棒正面断面図
【図３】主横構棒より副横構棒の開放正面断面図
【図４】同じく蓋部材開放の斜視図
【図５】本体縦枠棒と主横構棒の嵌合断面図
【図６】主横構棒端部楔形ストッパーと蓋部材狭窄部の系止部断面図
【図７】主、副横構棒セットの単体使用正面斜視図
【図８】フック側面図
【図９】フック正面断面図
【図１０】吊りパイプ式正面斜視図
【符号の説明】
１０、１０ａ    縦枠棒
１１、１１ａ    横枠棒
１２    縦枠棒と主横構棒嵌合部
１３    連結ヒンジ部
２０    主横構棒
２１    蓋部材
２２    狭窄部
２３    内側支持軸
２４    外部支持軸
２５    銛形突出部
２６    乾燥用の孔
２７    狭窄部用系止部
２８    狭窄部支持棒
３０    副横構棒
３１    副横構棒端部フック
４０    吊り下げ用フック
４１    パイプ
４２    切欠部
４３    スットパー
４４    弾性凸部
４５    切欠部鋸目系止部
４６    弾性凸部用系止部
４７    ハンガー用リング
４８    ハンガーリングストッパー
５０    ハンガー吊り紐
【図１】
2004358108.tif 000003
【図２】
2004358108.tif 000004
【図３】
2004358108.tif 000005
【図４】
2004358108.tif 000006
【図５】
2004358108.tif 000007
【図６】
2004358108.tif 000008
【図７】
2004358108.tif 000009
【図８】
2004358108.tif 000010
【図９】
2004358108.tif 000011
【図１０】
2004358108.tif 000012